(57)【特許請求の範囲】
【請求項１】
複数の電線ケーブル同士を中継するための屋内配線用のプラグジョイント(1)であって、該プラグジョイント(1)は、上下に分割したハウジング(2)，(4)と、電線ケーブル端に取付けたプラグ同士を電気的に接続するために、ハウジング(2)，(4)内に収納した接続端子(3)と、屋内の床や天井などの取付け対象に臨むハウジング(2)，(4)の基準面(11)に、取付け対象から一定の間隔を隔てるために四偶部分に設けた四つの凸部(16)と、基準面(11)の中央の側壁(12)側に隆起させたねじ孔(18a)を備えた取付けボス(18)，(18)とからなり、これら基準面(11)からの凸部(16)の高さと、取付けボス(18)の高さとを略同一高さｈに形成してあることを特徴とするプラグジョイント。
【請求項２】
プラグジョイント(1)は、ハウジングとしての上部ケース(2)と、ハウジングとしての下部ケース(4)とからなり、上部ケース(2)は、基準面(11)から延ばした側壁(12)，(12)と、基準面(11)から延ばした仕切リブ(13)，(13)とからなり、側壁(12)は、ケースロック片(24)と、取付けボス(18)を挟んでケースロック片(24)と反対側に設けたケースロック部(25)とを備え、下部ケース(4)は上部ケース(2)と同一形状であり、上部ケース(2)を１８０°回転させた上下対称形に形成したものである請求項１に記載のプラグジョイント。
【発明の詳細な説明】
【０００１】
【発明が属する技術分野】
本発明は、屋内配線に際して電線端と他の電線端との中間接続器として使用するプラグジョイントの改良に関する。
【０００２】
【従来の技術】
プレハブ住宅の屋内配線において、工場内で配線グループごとに分けた部分配線を行い、現場ではこれらの配線グループの端末同士をそれぞれ接続するという工法がとられている。しかし、現場ではこれらの配線グループの端末同士をそれぞれ接続する場合に、配線ケーブルの端末の処理作業が必要となり、この処理作業に相当の時間と手数を必要とするため、現場作業の合理化を図ることができにくかった。そこで、配線グループの各端末をコネクタ化し、工場で配線ケーブル端にコネクタを取付ける加工を行い、現場ではコネクタ付きの配線ケーブルをプラグジョイントに対して差込み接続する作業をするだけでプレハブ住宅の屋内配線を完了する試みが知られている。
【０００３】
この屋内配線を簡略化するためのプラグジョイントとしては、例えば特開平５−１７４９１７号公報に記載の配線装置が知られている。この技術は、同公報図１に示されている通り、ハウジング１１（符号は同公報に掲載の番号を使用した。）と、このハウジング１１に設けた電源ケーブル用の接続部１０ａと、ハウジング１１に設けた送り配線用の接続部１０ｂ、ハウジング１１に設けた負荷あるいは配線器具に接続する複数の分岐ケーブルの接続部１０ｃ１，１０ｃ２とからなるブロック１ａである。
【０００４】
【発明が解決しようとする課題】
しかしながら、上記技術では、ハウジング１１が天井や壁や床にベタ置き、またはベタ置き状にして固定されるため、複数の接続部１０ａ，１０ｂ，１０ｃ１，１０ｃ２からの発熱がハウジング１１を介して天井や壁面や床面に伝わり、天井や壁材や床材が材質によっては変色する虞があった。
【０００５】
そこで本発明の目的は、天井や壁面、床面に過熱変色等の熱的影響を与えることを極力回避させ得るプラグジョイントの構造を複雑なものにすることなく簡易な手段によって解決する手段を提供することにある。
【０００６】
【課題を解決するための手段】
この課題を解決するために講じた本発明の構成は、複数の電線ケーブル同士を中継するための屋内配線用のプラグジョイント１であって、該プラグジョイント１は、上下に分割したハウジング２，４と、電線ケーブル端に取付けたプラグ同士を電気的に接続するために、ハウジング２，４内に収納した接続端子３と、屋内の床や天井などの取付け対象に臨むハウジング２，４の基準面１１に、取付け対象から一定の間隔を隔てるために四偶部分に設けた四つの凸部１６と、基準面１１の中央の側壁１２側に隆起させたねじ孔１８ａを備えた取付けボス１８，１８とからなり、これら基準面１１からの凸部１６の高さと、取付けボス１８の高さとを略同一高さｈに形成してある構成としたものである。
【０００７】
このような構成としたプラグジョイントを屋内の床や天井などに取付けるには、これらの取付け対象に臨む面を、前記取付け対象から一定の間隔を隔てて取付けることができるように凸部を形成してある面を取付け対象面に向けて取付けるものとし、このようにすることによって、プラグジョイントの天井や床面などへの取付け対象面とプラグジョイントの取付け対象に面した面との間に少許の空隙を確保することができるようにし、プラグジョイントからの熱がこの空隙側の面からも放散できるようにすることによって、即ち、プラグジョイントが通過電流によって発する熱を、制限なく四周から放散できるようにすることによって、プラグジョイントの過大発熱を大幅に抑制し、過熱化を未然に防止し、床面等の取付け対象物の変色を防止し、過加熱に起因する火災等の発生を防止するものである。
【０００８】
【発明の実施の形態】
本発明の実施の形態を添付図に基づいて以下に説明する。なお、図面は符号の向きに見るものとする。図１は本発明に係るプラグジョイントの第１実施例を示す分解斜視図である。該プラグジョイント１は、ハウジングとしての上部ケース２と、複数の接続端子３…（…は複数個を示す。以下同じ。）と、ハウジングとしての下部ケース４とからなり、下部ケース４に接続端子３…を収納し、これらの接続端子３…を覆うように下部ケース４に対して上部ケース２を取付けるようにしたものである。
【０００９】
上部ケース２は、床や天井などの取付け対象に臨む面としての基準面１１と、この基準面１１から延ばした取付け対象に臨む面としての側壁１２，１２と、基準面１１から延ばした仕切リブ１３，１３と、これらの基準面１１，側壁１２，１２及び仕切リブ１３，１３で基準面１１の前後側に形成するプラグ差込み部１４…（前側のみ図示）とからなる。基準面１１は、この基準面１１に四隅部分上に突出させた四つの半球状凸部１６…と、基準面１１の中央の側壁１２側に隆起させた取付けボス１８，１８とからなる。取付けボス１８は、ねじ孔１８ａを備える。
【００１０】
側壁１２は、この側壁１２の両端に設けたプラグロック部２２，２２と、このプラグロック部２２の近傍に設けた台形凸部２３，２３と、基準面１１の反対側に設けたケースロック片２４と、取付けボス１８を挟んでケースロック片２４と反対側に設けたケースロック部２５とからなる。接続端子３は、幹部２７と、この幹部２７から左右両方向に向かって延ばした端子部２８…とからなる。下部ケース４は上部ケース２と同一形状であり、上部ケース２のＡ−Ａ線を中心にして１８０°回転させた上下対称形に形成したものである。
【００１１】
図２は本発明に係る第１実施例のプラグジョイントの正面図である。上部ケース２及び下部ケース４で接続端子３を収納したことを示す。上部ケース２のケースロック部２５に下部ケース４のケースロック片２４を嵌合させると共に、同時に下部ケース４のケースロック部２５に上部ケース２のケースロック片２４を嵌合させて、上部ケース２と下部ケース４とを連結結合した状態を示す。また、該実施例のものにあっては、基準面１１からの半球状凸部１６の高さと、取付けボス１８の高さとは略同一高さｈに形成してある。また、Ｂは床や天井などの取付け対象としての取付け面を示す。
【００１２】
図３は図２における矢印３から見た側面図であり、本発明に係る第１実施例のプラグジョイントの底面を示す。前記半球状凸部１６…は、基準面１１の四隅に配置したことを示し、取付けボス１８，１８は、基準面１１の長辺中央の外縁寄り部分にあって一部が側壁１２から突出していることを示す。従って、基準面１１は、図２のように取付け面Ｂに密着しないことを示す。台形凸部２３は、側壁１２の両端に配置したことを示し、取付け面Ｂに密着しないことを示す。
【００１３】
図４は本発明に係る前記プラグジョイントに対して差込み使用するプラグについての分解斜視図である。該プラグ３０は、プラグケース３１と、このプラグケース３１に挿入する複数（該図に示したものにあっては３個）のばね端子３２…と、これらのばね端子３２…に対してそれぞれに収納する３個の錠ばね３３…と、プラグケース３１に挿入するケーブル挿入部材３４と、プラグケース３１の角孔４１に対して首振り動作可能に取付けた錠ばね解除部材３５とからなる。
【００１４】
プラグケース３１は、プラグジョイント１のプラグ差込み部１４に対して挿入する筒部３７…と、プラグジョイント１の側壁１２に形成したプラグロック部２２に対してプラグケース３１をロックさせる係合孔を備えた舌状片３８，３８と、ケーブル挿入部材３４の上下面に形成したロック凸部４７，４７に対して嵌め込みロックする嵌合孔３９，３９と、錠ばね解除部材３５を収納する角孔４１とからなる。
【００１５】
ばね端子３２は、プラグジョイントに内装させた接続端子３に嵌合するばね部４２と、前記錠ばね３３を収納する収納部４３とからなる。錠ばね３３は、ばね端子３２に電源ケーブルと接触して電気的に接続する圧着部４４と電源ケーブルをロックするロック部４５とからなる。ケーブル挿入部材３４は、電源ケーブルを挿入する複数（該実施例では３個）のケーブル孔４６…と、前記嵌合孔３９，３９に嵌合するロック凸部４７，４７とからなる。錠ばね解除部材３５は、前記錠ばね３３のロック部４５を押し下げる解除凸部４８…と、この解除凸部４８…と一体的に形成した押圧部４９とからなる。
【００１６】
図５は本発明に係るプラグジョイントの実体配線図であり、プラグジョイント１を使用した屋内配線の一例であり、屋内配線システム５０を示す。屋内配線システム５０は、第１ユニット５１と、この第１ユニット５１を接続したプラグジョイント１ａと、このプラグジョイント１ａに接続した第２ユニット５２と、この第２ユニット５２を接続したプラグジョイント１ｂと、このプラグジョイント１ｂに接続した第３ユニット５３，第４ユニット５４及び第５ユニット５５と、この第５ユニット５５を接続したプラグジョイント１ｃと、このプラグジョイント１ｃに接続した第６ユニット５６とからなる。
【００１７】
第１ユニット５１は、配電盤５７と、この配電盤５７に接続した電線ケーブル５８と、この電線ケーブル５８に接続したプラグ３０とからなる。第２ユニット５２は、プラグ３０と、このプラグ３０に接続した電線ケーブル５９と、この電線ケーブル５９に接続したプラグ３０とからなる。第３ユニット５３は、プラグ３０と、このプラグ３０に接続した電線ケーブル６１と、この電線ケーブル６１に接続した換気扇６２とからなる。
【００１８】
第４ユニット５４は、プラグ３０と、このプラグ３０に接続した電線ケーブル６３と、この電線ケーブル６３に接続した照明器具６４とからなる。第５ユニット５５は、プラグ３０と、このプラグ３０に接続した電線ケーブル６５と、この電線ケーブル６５に接続したプラグ３０とからなる。第６ユニット５６は、プラグ３０と、このプラグ３０に接続した電線ケーブル６６と、この電線ケーブル６６に接続した配線器具６７とからなる。
【００１９】
これらの第１〜第６ユニット５１〜５６は、予め工場で前加工しておき、配線現場ではこれらのユニット５１〜５６をプラグジョイント１ａ〜１ｃを用いて接続する作業だけで屋内配線を完了することができるようにしてあるので、現場作業の合理化、品質の均質化及び作業の迅速性を図ることができる。
【００２０】
以上に述べたプラグジョイント１の使用手段について次に説明する。図６及び図７は本発明に係るプラグジョイントの使用手段の説明図であり、図６はプラグジョイント１を横置きした姿勢を示し、図７はプラグジョイント１を縦置きした姿勢を示す。図６において、プラグジョイント１は、屋内の床面や壁面や天井などの取付け面Ｂから一定の間隔ｈを隔てるためにハウジングに半球凸部１６を設けて、プラグジョイント１の基準面１１と取付け面Ｂとの間に通気性を確保できるようにした。従って矢印ａの如く、一端側から他端側に向かって、または同図において手前側と奥側との方向に向かって空気が流れることができ、下部ケース４と取付け面Ｂとの間で熱が滞留することがなく、プラグジョイント１の発熱が蓄積されて高温になることを抑えることができるので、床面等のプラグジョイント取付け面が変色したり、過加熱となることを未然に防止することができる。
【００２１】
同様に図７において、プラグジョイント１を縦置きした場合にも、取付けボス１８の側面と一方のプラグ３０の側面との間に形成される空間でプラグジョイント１の側壁１２と取付け面Ｂとの間に通気性を確保することができる。従って矢印ｂの如く、同図において手前側と奥側との方向に向かって空気が流れることができ、同様に床面等を変色させたり、過加熱となることがない。
【００２２】
図８は、本発明に係るプラグジョイントの第２実施例を示す分解斜視図である。ここに示したプラグジョイント７０は、ハウジングとしての上部カバー７２と、三つの接続端子７３と、ハウジングとしての下部ケース４とからなり、下部ケース４に接続端子７３…を収納し、こられの接続端子７３…を覆うように上方から上部カバー７２を被せて固定するようにしたものである。
【００２３】
上部カバー７２は、基準面７４と、この基準面７４の長辺中央に外寄りに設けた二つの取付け部７５と、基準面７４の四隅部分上に設けた凸部としての四つの半球状凸部７６と、基準面７４の長辺両端部の側方に突出させて設けた凸部としての四つの台形凸部７７と、基準面７４の長辺に設けたケースロック片７８（一方のみ図示）と、取付け部７５を挟んでケースロック片７８と反対側に設けたケースロック部７９（一方のみ図示）とからなる。取付け部７５は、ねじ孔７５ａを備えている。
【００２４】
各接続端子７３は、幹部８１と、この幹部８１から左右両方向に延ばした端子部８２，８２とからなっている。下部ケース４は、前記第１実施例に示したプラグジョイント１における下部ケース４と同一部品であり、すなわち、１１は基準面、１２は側壁、１３は仕切リブ、１４はプラグ差込み部、１８は取付けボス、１８ａはねじ孔、２２はプラグロック部、２３は台形凸部、２４はケースロック片、２５はケースロック部である。また、図示されていないが基準面１１側には四隅に半球状凸部１６を形成してある。
【００２５】
図９は、該第２実施例に示したプラグジョイントの正面図である。該図において鎖線で示したように、接続端子７３は上部カバー７２及び下部ケース４内に収納してあることを示す。上部カバー７２のケースロック部７９に下部ケース４のケースロック片２４を嵌合させると共に、下部ケース４のケースロック部２５に上部カバー７２のケースロック片７８を嵌合させて、上部カバー７２と下部ケース４とを結合したことを示す。なお、同図は、基準面１１からの半球状凸部１６の高さと取付けボス１８の高さとは、この場合も略同一高さｈとしてあることを示す。
【００２６】
以上に示した第１実施例及び第２実施例において、取付け面に対して四つの半球状凸部１６を設けてあるものとして示したが、この凸部１６の数は必ずしも四つに限ることはなく、最低３個または５個以上必要数設ければよい。
【００２７】
【発明の効果】
本発明は以上に説明したように、複数の電線ケーブル同士を中継するための屋内配線用のプラグジョイントにおいて、ハウジングと、電線ケーブル端に取付けたプラグ同士を電気的に接続するためにハウジングに収納した接続端子と、屋内の床や天井などの取付け対象に臨むハウジングの基準面１１に、取付け対象から一定の間隔を隔てるために四偶部分に設けた四つの凸部１６と、基準面１１の中央の側壁１２側に隆起させたねじ孔１８ａを備えた取付けボス１８，１８とからなり、これら基準面１１からの凸部１６の高さと、取付けボス１８の高さとを略同一高さｈに形成してあるものとしたので、取付けボスの側壁側への隆起部分を除いてジョイントの側壁間の幅を小さく形成することができ、また、プラグジョイントと屋内の床面や壁面や天井などに対して直接に安定よく確実に取付けることができ、取付け対象との間に確実に通気性を確保することができるので、プラグジョイントの発熱が高温になることを抑えることができ、床面等のプラグジョイント取付け面を熱による変色から保護し、火災の発生原因となる危険性を大幅に減少させ得て安全に使用できるという効果を有するものである。
【図面の簡単な説明】
【図１】本発明に係るプラグジョイントの第１実施例を示す分解斜視図。
【図２】図１に示したプラグジョイントの正面図。
【図３】図２の矢印３から見た側面図。
【図４】図１のプラグジョイントに使用するプラグの分解斜視図。
【図５】図１のプラグジョイントの使用例を説明する配線図。
【図６】図１のプラグジョイントにプラグを連結した状態を示す正面図。
【図７】図１のプラグジョイントにプラグを連結した状態を示す側面図。
【図８】本発明に係るプラグジョイントの第２実施例を示す分解斜視図。
【図９】図７のプラグジョイントの正面図。
【符号の説明】
１  プラグジョイント
２  ハウジングの上部ケース
３  接続端子
４  ハウジングの下部ケース
１１  取付け対象に臨む面
１２  取付け対象に臨む面
１６  凸部
２３  凸部
３０  プラグ
Ｂ  取付け面
【図１】
0003707019.tif 000002
【図２】
0003707019.tif 000003
【図３】
0003707019.tif 000004
【図４】
0003707019.tif 000005
【図５】
0003707019.tif 000006
【図６】
0003707019.tif 000007
【図７】
0003707019.tif 000008
【図８】
0003707019.tif 000009
【図９】
0003707019.tif 000010